(57)【要約】【課題】  送入流体の流量を飛躍的に増加することができる流量増幅器を提供すること。【解決手段】  本発明の流量増幅器１０は、流体送出器よりの流体が芯方向に送入する円筒部１２と、円筒部１２の流体の送入面側の円周に沿って斜め内側に向け形成され外部よりの流体が流体送出器よりの流体に向け噴射し、流体送出器よりの流体を誘引して流量増幅する環状スリットである環状ノズル１５と、流量増幅した流体を整流する流体整流部２０とを備えることとした。【選択図】図１
2017020769.tif 000002
【特許請求の範囲】
【請求項１】
流体送出器よりの流体が芯方向に送入する円筒部と、前記円筒部の流体の送入面側の円周に沿って斜め内側に向け形成され外部よりの流体が前記流体送出器よりの流体に向け噴射し、前記流体送出器よりの流体を誘引して流量増幅する環状ノズルとを備えたことを特徴とする流量増幅器。
【請求項２】
流体送出器よりの流体が芯方向に送入する円筒部と、前記円筒部の流体の送入面側の円周に沿って斜め内側に向け形成され外部よりの流体が前記流体送出器よりの流体に向け噴射し、前記流体送出器よりの流体を誘引して流量増幅する環状ノズルと、前記流量増幅した流体を整流する流体整流部とを備えたことを特徴とする流量増幅器。
【請求項３】
前記流体整流部は、複数の平面形の整流プレートの先端を傾斜させた傾斜形状として放射状に配置し、前記円筒部の内側に設けたことを特徴とする請求項２に記載の流量増幅器。
【請求項４】
前記流体整流部は、複数の平面形の整流プレートを放射状に配置し、前記円筒部の内側に設けたことを特徴とする請求項２に記載の流量増幅器。
【請求項５】
前記流体整流部は、複数の平面形の整流プレートの先端をねじらせたねじれ形状として放射状に配置し、前記円筒部の内側に設けたことを特徴とする請求項２に記載の流量増幅器。
【請求項６】
前記流体送出器よりの流体は、加湿温風器よりの蒸気とすることを特徴とする請求項１または請求項２に記載の流量増幅器。
【発明の詳細な説明】
【技術分野】
【０００１】  本発明は、送入流体の流量を飛躍的に増加することができる流量増幅器に関する。
【背景技術】
【０００２】  従来の流量増幅器には、外部より気体がノズルにより送入されることにより側面からの気体の流量を増加し送出するものがある（例えば、特許文献１参照）。
【先行技術文献】
【特許文献】
【０００３】
【特許文献１】  特許文献  特開２００４−１１６９１７号公報
【発明の概要】
【発明が解決しようとする課題】
【０００４】  しかしながら、従来の流量増幅器は、送入する気体の流量を増加することはできるが、所望の流量増加を充分に得られないという問題があった。
本発明は、上記に鑑みてなされたものであって、送入流体の流量を飛躍的に増加することができる流量増幅器を提供することを目的とする。
【課題を解決するための手段】
【０００５】  本発明の流量増幅器は、流体送出器よりの流体が芯方向に送入する円筒部と、前記円筒部の流体の送入面側の円周に沿って斜め内側に向け形成され外部よりの流体が前記流体送出器よりの流体に向け噴射し、前記流体送出器よりの流体を誘引して流量増幅する環状ノズルとを備えることとした。
また、本発明の流量増幅器は、流体送出器よりの流体が芯方向に送入する円筒部と、前記円筒部の流体の送入面側の円周に沿って斜め内側に向け形成され外部よりの流体が前記流体送出器よりの流体に向け噴射し、前記流体送出器よりの流体を誘引して流量増幅する環状ノズルと、前記流量増幅した流体を整流する流体整流部とを備えることとした。
また、前記流体整流部は、複数の平面形の整流プレートの先端を傾斜させた傾斜形状として放射状に配置し、前記円筒部の内側に設けることとした。
また、前記流体整流部は、複数の平面形の整流プレートを放射状に配置し、前記円筒部の内側に設けることとした。
また、前記流体整流部は、複数の平面形の整流プレートの先端をねじらせたねじれ形状として放射状に配置し、前記円筒部の内側に設けることとした。
さらに、前記流体送出器よりの流体は、加湿温風器よりの蒸気とすることとした。
【発明の効果】
【０００６】  本発明の流量増幅器は、流体送出器よりの流体が芯方向に送入する円筒部と、前記円筒部の流体の送入面側の円周に沿って斜め内側に向け形成され外部よりの流体が前記流体送出器よりの流体に向け噴射し、前記流体送出器よりの流体を誘引して流量増幅する環状ノズルとを備えることとしたため、送入流体の流量を飛躍的に増加することができる。
また、本発明の流量増幅器は、流体送出器よりの流体が芯方向に送入する円筒部と、前記円筒部の流体の送入面側の円周に沿って斜め内側に向け形成され外部よりの流体が前記流体送出器よりの流体に向け噴射し、前記流体送出器よりの流体を誘引して流量増幅する環状ノズルと、前記流量増幅した流体を整流する流体整流部とを備えることとしたため、送入流体の流量を飛躍的に増加することができるとともに、分散することなくストレートにジェット噴射し遠方に送出することができる。
また、前記流体整流部は、複数の平面形の整流プレートの先端を傾斜させた傾斜形状として放射状に配置し、前記円筒部の内側に設けることとしたため、分散することなく螺旋状になりストレートにジェット噴射し遠方に送出することができる。
また、前記流体整流部は、複数の平面形の整流プレートを放射状に配置し、前記円筒部の内側に設けることとしたため、分散することなく直線状にしてストレートにジェット噴射し遠方に送出することができる。
また、前記流体整流部は、複数の平面形の整流プレートの先端をねじらせたねじれ形状として放射状に配置し、前記円筒部の内側に設けることとしたため、分散することなく螺旋状になりストレートにジェット噴射し遠方に送出することができる。
さらに、前記流体送出器よりの流体は、加湿温風器よりの蒸気とすることとしたため、蒸気の増量を的確に行うことができ、省資源化を図ることもできる。
【図面の簡単な説明】
【０００７】
【図１】  本発明の実施の形態の流量増幅器の縦断面図を示す。
【図２】  本発明の実施の形態の流量増幅器に設けられる傾斜式の流体整流部の図を示し、図２（ａ）は縦断面図を示し、図２（ｂ）は水平断面図を示す。
【図３】  本発明の実施の形態の流量増幅器に設けられる平面式の流体整流部の図を示し、図３（ａ）は斜視図を示し、図３（ｂ）は断面図を示す。
【図４】  本発明の実施の形態の流量増幅器に設けられるねじれ式の流体整流部の図を示し、図４（ａ）は斜視図を示し、図４（ｂ）は流体の送入側の断面図を示し、図４（ｃ）は流体の送出側の断面図を示す。
【発明を実施するための最良の形態】
【０００８】  以下、本発明の実施の形態の流量増幅器につき説明する。
【実施例】
【０００９】  図１は、本発明の実施の形態の流量増幅器の縦断面図を示す。
図１に示すように、本発明の実施の形態の流量増幅器１０は、加湿温風器１１の送出管１１ａよりの蒸気Ｊが送入する円筒部１２と、送出管１１ａよりの蒸気の流量を増幅する環状の流量増幅部１３とで構成されている。
円筒部１２は、送出管１１ａよりの蒸気Ｊが送入面側１２ａより芯方向に送入する。
環状の流量増幅部１３は、半ドーナツ形の環状送出管１４が設けられ、環状送出管１４の下面には外部より高圧の空気Ｋが送入される高圧送入管１３ａが取付けられ、円筒部１２の蒸気Ｊの送入面側１２ａの円周に沿って斜め内側に向け環状スリットが形成され環状ノズル１５となっている。
そのため、高圧送入管１３ａより送入する高圧の空気Ｋは、環状ノズル１５より円筒部１２の斜め内側に向け噴射し、流体送出器１１よりの蒸気Ｊを誘引して大幅に流量増幅をすることができる。流量増幅した蒸気ＪＫは円筒部１２より送出する。【００１０】  流量増幅器１０は、流量増幅した蒸気ＪＫを整流する流体整流部２０を円筒部１２の内部に設けている。
流量増幅した蒸気ＪＫは円筒部１２より送出するが、流体整流部２０により、分散することなくストレートにジェット噴射し遠方に送出することができる。【００１１】  図２は、本発明の実施の形態の流量増幅器に設けられる傾斜式の流体整流部の図を示し、図２（ａ）は縦断面図を示し、図２（ｂ）は水平断面図を示す。
図２（ａ）、図２（ｂ）に示すように、傾斜式の流体整流部２０Ａは、複数の平面形の整流プレートの先端を矢印αに示すように傾斜させ傾斜形状とした傾斜形の整流プレート２１を放射状に配置し、円筒部１２の内側に設けている。
図１に示す流体送出器１１により流量増幅した蒸気ＪＫは、矢印Ｒに示すように旋回し螺旋状になり円筒部１２より整流され送出する。
そのため、流量増幅した蒸気ＪＫは円筒部１２より送出するが、流体整流部２０Ａにより整流され、分散することなく螺旋状になりストレートにジェット噴射し遠方に送出することができる。【００１２】  ［図３］
図３は、本発明の実施の形態の流量増幅器に設けられる平面式の流体整流部の図を示し、図３（ａ）は斜視図を示し、図３（ｂ）は断面図を示す。
図３（ａ）、図３（ｂ）に示すように、平面式の流体整流部２０Ｂは、複数の平面形の整流プレート２３を放射状に配置し、円筒部１２の内側に設けている。
図１に示す流体送出器１１により流量増幅した蒸気ＪＫは、円筒部１２より直線状に整流され送出する。
そのため、流量増幅した蒸気ＪＫは円筒部１２より送出するが、平面式の流体整流部２０Ｂにより、分散することなく直線状にしてストレートにジェット噴射し遠方に送出することができる。【００１３】  図４は、本発明の実施の形態の流量増幅器に設けられるねじれ式の流体整流部の図を示し、図４（ａ）は斜視図を示し、図４（ｂ）は流体の送入側の断面図を示し、図４（ｃ）は流体の送出側の断面図を示す。
図４（ａ）、図４（ｂ）、図４（ｃ）に示すように、ねじれ式の流体整流部２０Ｃは、複数の平面形の整流プレートの先端を矢印βに示すようにねじらせねじれ形状としたねじれ形の整流プレート２５を放射状に配置し、円筒部１２の内側に設けている。
図１に示す環状の流量増幅部１３により流量増幅した蒸気ＪＫは、矢印Ｐに示すように旋回し螺旋状になり円筒部１２より整流され送出する。
そのため、流量増幅した蒸気ＪＫは円筒部１２より送出するが、流体整流部２０Ｃにより整流され、分散することなく螺旋状になりストレートにジェット噴射し遠方に送出することができる。【００１４】  以上、本発明の実施の形態の流量増幅器１０は、流体送出器の送出圧力増加などを特別に行なうことなく送入流体の流量を飛躍的に増加することができる。
また、本発明の実施の形態の流量増幅器は、流体送出器の送出圧力増加などを特別に行なうことなく送入流体の流量を飛躍的に増加することができるとともに、分散することなくストレートにジェット噴射し遠方に送出することもできる。
なお、加湿温風器１１より蒸気が送入され、高圧送入管１３ａよりは空気が送入されることしているが、勿論これに限定されることなく各種の気体や液体などの流体を使用することができる。
また、本発明の実施の形態の流量増幅器は、加湿温風器よりの蒸気を増幅することとしているが、勿論各種の流体送出器よりの流体の増幅を行うことができる。
【産業上の利用可能性】
【００１５】  本発明の流量増幅器は、加湿温風器への利用に限らず、加熱器、冷房機、ポンプなどに幅広く使用することができる。
【符号の説明】
【００１６】  １０  流量増幅器
１２  加湿温風器
１１ａ  送出管
１２  円筒部
１３  流量増幅部
１４  環状送出管
１３ａ  高圧送入管
１５  環状ノズル
２０  流体整流部
２０Ａ  傾斜式の流体整流部
２０Ｂ  平面式の流体整流部
２０Ｃ  ねじれ式の流体整流部
２１  傾斜形の整流プレート
２３  平面形の整流プレート
２５  ねじれ形の整流プレート
【図１】
2017020769.tif 000003
【図２】
2017020769.tif 000004
【図３】
2017020769.tif 000005
【図４】
2017020769.tif 000006